(57)【要約】【課題】本体ケースに形成された防水構造のモジュール収納部に収納されて固定されたモジュールと、前記本体ケースの外側に配置されたアンテナとを有する携帯型送受信機において、前記モジュールの回路基板と前記アンテナとの導通手段が水分や汗の影響を受けないようにすること。【課題手段】腕携帯型送受信機を、モジュール収納部１１ａを備えたプラスチック製本体ケース１１と、本体ケース１１のガラス側開口１１ｂに液密に嵌め込まれた肉厚の環状金属部材のアンテナ１３と、肉厚の環状金属部材のアンテナ１３に液密に嵌め込まれたガラス１２と、モジュール収納部１１ａに収納されたモジュールと、肉厚の環状金属部材のアンテナ１３のモジュール収納部側の表面１３ｂと回路基板１４とを接続する導通板バネ部材２２と、本体ケース１１の裏側開口を液密に封止する裏蓋１８とで構成した。【選択図】　　図１
2004056560.tif 000002
【特許請求の範囲】
【請求項１】
モジュール収納部を備えたプラスチック製本体ケースと、
前記本体ケースのガラス側開口に液密に嵌め込まれた肉厚の環状金属部材のアンテナと、
前記環状金属部材のアンテナに液密に嵌め込まれたガラスと、
前記モジュール収納部に収納されたモジュールと、
前記モジュールの回路基板と前記環状金属部材のアンテナの前記モジュール収納部側の表面とを接続する導通板バネ部材と、
前記本体ケースの裏側開口を液密に封止する裏蓋とから構成された携帯型送受信機。
【請求項２】
小径の筒状モジュール収納部と大径の筒状開口が形成されたプラスチック製本体ケースと、
内周面に環状段部が形成された肉厚の環状金属部材であって前記本体ケースの大径の筒状開口に液密に嵌め込まれた環状金属部材のアンテナと、
外周部の下面を前記環状段部に当接して前記環状金属部材のアンテナの内周面側に液密に嵌め込まれたガラスと、
前記筒状モジュール収納部に収納され前記環状金属部材の裏面に支持されて固定されたモジュールと、
前記モジュールの回路基板と前記環状金属部材のアンテナの前記モジュール収納部側の表面とを接続する導通板バネ部材と、
前記小径の筒状モジュール収納部の開口を液密に封止する裏蓋とから構成された携帯型送受信機。
【請求項３】
前記ガラスはパッキンを介して前記環状金属部材のアンテナの内周面側には嵌め込まれていることを特徴とする請求項１又は２記載の携帯型送受信機。
【請求項４】
前記環状金属部材のアンテナはシールリングを介して前記本体ケースの大径の筒状開口に嵌め込まれていることを特徴とする請求項１又は２記載の携帯型送受信機。
【発明の詳細な説明】
【０００１】
【発明の属する技術分野】
本発明は、腕時計型携帯電話機や通信機能付腕時計の如き携帯型送受信機関する。
【０００２】
【従来の技術】
腕時計型携帯電話機や通信機能付腕時計の如き携帯型送受信機のアンテナの構造は、携帯型送受信機自体の形状やケース本体の材質や寸法等の制約から、様々なものが開発されている。例えば、特開２００１−２７２４８０号公報には、ケース本体に形成されたモジュール収納部に収納された円板状基板にコイル状アンテナパターンが形成されたものが開示されている。また、特開２００１−２２８２６８号公報には、本体ケースから少なくとも部分的にリストバンドに沿って延びた舌状部材に組み込まれたものが開示されている。更に、特開平１０−２７１１９６号公報には、腕バンドに組み込んだアンテナが開示されている。上述の公報に開示されたアンテナ構造は夫々に工夫されたものであるが、様々な携帯型送受信機のアンテナの構造としては必ずしも広く採用できるものではない。
【０００３】
更に他の従来例は、図２の携帯型送受信機の要部断面図に示す如く、本体ケース１１のガラス１２の周縁に閉ループを形成するように配置されたアンテナ１３の構造である。即ち、このアンテナ構造を備えた腕携帯型送受信機は、大径の筒状モジュール収納部１１ａと小径の筒状開口１１ｂが形成され且つ筒状開口１１ｂの周囲の外表面に環状アンテナ収納部１１ｃが形成されたプラスチック製本体ケース１１と、筒状モジュール収納部１１ａに収納され固定されたモジュールと、筒状開口１１ｂを液密に封止するガラス１２と、環状アンテナ収納部１１ｃに配置され固定された環状アンテナ１３と、モジュールの回路基板１４と環状アンテナ１３とを接続する接続構造とから構成された携帯型送受信機である。
【０００４】
大径の筒状モジュール収納部１１ａに収納されて固定されたモジュールは、回路基板１４、モジュール部１５、モジュール取付け部材１６、液晶表示モジュール１７を含んで構成されている。
【０００５】
そして、モジュールの回路基板１４と環状アンテナ１３とを接続する接続構造は、大径の筒状モジュール収納部１１ａと小径の筒状開口１１ｂとの段部１１ｄに形成された導通用貫通穴１１ｅと、環状アンテナ１３に一端が接触し且つ貫通穴１１ｅを貫通する接続ピン２１と、回路基板１４に一端が固着され且つ他端が接続ピン２１の他端に弾性接触する板バネ部材２２と、接続ピン２１の外周面と導通用貫通穴１１ｅの内周面との間に配置されたシールリング２７とで構成されている。
【０００６】
要するに、本体ケース１１の上面にアンテナ１３を設け、導電部材である接続ピン２１に防水用のシールリング２７を配置する構造とし、接続ピン２０によりアンテナ１３とケース本体１１内に収納され固定されているモジュールの回路基板１４と接続するようにしたアンテナの構造である。図２に開示されたアンテナの構造を採用した携帯型送受信機は、小型薄型化が容易であるだけでなく、組立てもし易いという特徴を有する。しかしながら、アンテナ１３と接続ピン２０との接触部Ｐは、防水構造のモジュール収納部１１ａの外側に存在するため、水分や汗が接触部Ｐに侵入する。このため、アンテナ１３と接続ピン２０との接触部Ｐは侵入した水分や汗で腐食し、アンテナ１３とケース本体１１内に収納され固定されているモジュールの回路基板１４との導通路の導電性が劣化し、従って携帯型送受信機の通信性能が劣化してしまうという問題がある。
【０００７】
【発明が解決しようとする課題】
本発明が解決しようとする課題は、防水構造の本体ケースの内側に収納されて固定されたモジュールと、前記本体ケースの外側表面に配置されたアンテナとを有する携帯型送受信機において、前記モジュールの回路基板と前記アンテナとの導通手段が水分や汗の影響を受けないようにすることである。
【０００８】
【課題を解決するための手段】
上記課題を解決する携帯型送受信機を、モジュール収納部を備えたプラスチック製本体ケースと、前記本体ケースのガラス側開口に液密に嵌め込まれた肉厚の環状金属部材のアンテナと、前記環状金属部材のアンテナに液密に嵌め込まれたガラスと、前記モジュール収納部に収納されたモジュールと、前記モジュールの回路基板と前記環状金属部材の前記モジュール収納部側の表面とを接続する導通板バネ部材と、前記本体ケースの裏側開口を液密に封止する裏蓋とで構成した。
【０００９】
また、上記課題を解決する携帯型送受信機を、小径の筒状モジュール収納部と大径の筒状開口が形成されたプラスチック製本体ケースと、内周面に環状段部が形成された肉厚の環状金属部材であって前記本体ケースの大径の筒状開口に液密に嵌め込まれた環状金属部材のアンテナと、外周部の下面を前記環状段部に当接して前記環状金属部材のアンテナの内周面側に液密に嵌め込まれたガラスと、前記筒状モジュール収納部に収納され前記環状金属部材の裏面に支持されて固定されたモジュールと、前記モジュールの回路基板と前記環状金属部材の前記モジュール収納部側の表面とを接続する導通板バネ部材と、前記小径の筒状モジュール収納部の開口を液密に封止する裏蓋とで構成した。
【００１０】
そして、上記の携帯型送受信機において、前記ガラスはパッキンを介して前記環状金属部材のアンテナの内周面側には嵌め込まれ、前記環状金属部材のアンテナはシールリングを介して前記本体ケースの大径の筒状開口に嵌め込まれるようにした。
【００１１】
このようにして、本発明の携帯型送受信機において前記モジュールの回路基板と前記アンテナとの導通手段を前記導通板バネ部材のみで構成した。前記導通板バネ部材は、プラスチック製本体ケースと肉厚の環状部材のアンテナとガラス及び裏蓋とで構成された防水構造のモジュール収納部の中に配置されているので、前記導通手段には水分や汗の侵入の影響は全く及ばない。
【００１２】
【発明の実施の形態】
以下、本発明の実施の態様を、携帯型送受信機が腕に装着する腕携帯型送受信機の場合について図面に基づいて説明する。腕以外に装着する携帯型送受信機においても、腕携帯型送受信機の場合と同様である。
本発明の一実施形態の腕携帯型送受信機の左半分を断面図で示した図１において、本体ケース１１は筒状のモジュール収納部１１ａと筒状のガラス側開口１１ｂとが形成されたプラスチック製本体ケースである。筒状のガラス側開口１１ｂの内径は筒状のモジュール収納部１１ａよりも大きく、従って本体ケース１１には段部１１ｃが形成されている。アンテナ１３は、断面が横向きの略台形の肉厚の環状金属部材である。肉厚の環状金属部材のアンテナ１３は、本体ケース１１の筒状のガラス側開口１１ｂに嵌め込まれ、接着材で固着されている。本体ケース１１の段部１１ｃに形成された環状凹部には、シールリング２８が配置されている。
【００１３】
肉厚の環状金属部材のアンテナ１３の表面、裏面、及び外周面は平坦であるが、内周面には環状突起部１３ａが形成されている。この環状突起部１３ａは、ガラスを取付けるための浅い筒状のガラス取付け部を形成するものである。また、この環状突起部１３ａは、モジュール支持部材として機能するものである。
【００１４】
筒状のモジュール収納部１１ａに収納されて固定されているモジュールは、回路基板１４、モジュール部１５、モジュール取付け部材１６、液晶表示モジュール１７を含んで構成されている。液晶表示モジュール１７は、モジュール取付け部材１６の環状突起部１６ａで囲まれた空間に配置されている。モジュール取付け部材１６の環状突起部１６ａの先端の一部は、肉厚の環状金属部材のアンテナ１３の裏面１３ｂに当接している。
【００１５】
ガラス１２は、その裏面の外周部を肉厚の環状金属部材のアンテナ１３の環状突起部１３ａに当接するようにして、肉厚の環状金属部材のアンテナ１３のガラス取付け部に嵌め込まれ、接着剤で固着されている。肉厚の環状金属部材のアンテナ１３の内周面とガラス１２の外周面との間にはシール用のパッキン１９が挿入されている。
【００１６】
モジュールの回路基板１４とアンテナ１３との導通手段は、導通用板バネ部材２２である。即ち、導通用板バネ部材２２の一端はモジュールの回路基板１４に固着され、他端は肉厚の環状金属部材のアンテナ１３の裏面１３ｃに弾性接触している。
【００１７】
このようにして、本発明の一実施形態の腕携帯型送受信機においては、モジュールの回路基板１４とアンテナ１３との導通手段を導通板バネ部材２２のみで構成した。導通板バネ部材２２は、プラスチック製本体ケース１１と肉厚の環状部材のアンテナ１３とガラス１２及び裏蓋１８とで構成された防水構造のモジュール収納部１１ａの中に配置されているので、前記導通手段には水分や汗の侵入の影響は全く及ばない。それ故、本発明に係る腕携帯型送受信機の通信性能は、水分や汗によって悪影響を受けることがない。
【００１８】
【発明の効果】
本発明により、防水構造の本体ケースの内側に収納されて固定されたモジュールと、前記本体ケースの外側表面に配置されたアンテナとを有する携帯型送受信機において、前記モジュールの回路基板と前記アンテナとの導通手段が水分や汗の影響を受けないようにすることができた。従って、実使用環境でアンテナ接続部の信頼性が確保され、携帯型送受信機の良好な送受信感度が維持できるようになった。
【図面の簡単な説明】
【図１】本発明の一実施形態の腕携帯型送受信機を左半分の断面図で示した図である。
【図２】従来の腕携帯型送受信機を左半分の断面図で示した図である。
【符号の説明】
１１　ケース
１１ａ　モジュール収納部
１１ｂ　ガラス側開口
１２　ガラス
１３　アンテナ
１３ａ　環状突起部
１３ｂ　導通面
１４　回路基板
１５　モジュール部
１６　モジュール取付け部材
１６ａ　係合突起部
１７　液晶モジュール
１８　裏蓋
１９　パッキン
２０　接続ピン
２２　導通板バネ部材
２７　シールリング
【図１】
2004056560.tif 000003
【図２】
2004056560.tif 000004